(57)【要約】【課題】少ない包装材で確実な包装を行うことが可能で、信頼性の高い包装材及び包装構造を提供する。【解決手段】調理器本体１の両側部に配設されて、調理器本体１の側面側を保持するとともに、包装後において、包装構造体１９の支柱となる一対の側パッド１１ａ，１１ｂと、調理器本体１の下面側を保護する下ケース１２と、調理器本体１の上面に、調理器本体１の前面より突出するような態様で配設されて調理器本体１の前面を保護するとともに、その上に載置されるトッププレート２の下面側から前側上面にまで回り込み、トッププレート２の前側部分を挟み込むことによりトッププレート２を所定の位置に保持する回り込み保持部１３を備えた前桟パッド１４と、トッププレート２の上面側に位置して、トッププレート２の上面側を保護する上ケース１６とを備えた構成とする。【選択図】          図１
2004231232.tif 000002
【特許請求の範囲】
【請求項１】
調理器本体と、調理器本体の上面側に配設されるトッププレートと、調理器本体に配設されたグリルと、調理器本体の前面側に配設されたグリル扉とを備えた加熱調理器を包装するための包装材であって、
調理器本体の両側部と係合するように、調理器本体の両側部に配設されて、調理器本体の側面側を保持するとともに、包装後において、包装構造体の支柱となる一対の側パッドと、
調理器本体の下面側に位置して調理器本体の下面側を保護する下ケースと、
調理器本体の上面に、調理器本体の前面より突出するような態様で配設されて調理器本体の前面を保護するとともに、その上に載置されるトッププレートの下面側から前側上面にまで回り込み、トッププレートの前側部分を挟み込むことによりトッププレートを所定の位置に保持する回り込み保持部を備えた前桟パッドと、
トッププレートの上面側に位置して、トッププレートの上面側を保護する上ケースと
を具備することを特徴とする包装材。
【請求項２】
前記前桟パッドが、薄い箱状で、前記回り込み保持部を一体に備えた構造のものであることを特徴とする請求項１記載の包装材。
【請求項３】
付属部品が収納された状態で、トッププレートと上ケースの間に配設される部品収納パッドを備えていることを特徴とする請求項１又は２記載の包装材。
【請求項４】
調理器本体の前側下部を保護するための前下パッドであって、調理器本体の下面から前面に回り込むように構成され、かつ、調理器本体の前面への回り込み部分の高さが、調理器本体の前面の突出部分との緩衝が生じない高さとされた前下パッドを備えていることを特徴とする請求項１〜３のいずれかに記載の包装材。
【請求項５】
主要部が段ボール紙からなるものであることを特徴とする請求項１〜４のいずれかに記載の包装材。
【請求項６】
包装材により加熱調理器を包装した包装構造体の主要部を被覆するように配設され、包装構造体を一体に保持するシュリンク包装材を備えていることを特徴とする請求項１〜５のいずれかに記載の包装材。
【請求項７】
請求項１〜６のいずれかに記載の包装材を用いた加熱調理器の包装構造であって、
調理器本体の両側部に前記一対の側パッドが配設され、
前記側パッドが配設された状態の調理器本体の下面側に前記下ケースが配設され、
調理器本体の上面側に、調理器本体の前面より突出するような態様で前記前桟パッドが配設され、
調理器本体及び前記前桟パッドの上面側に配置された前記トッププレートの、下面側から前側上面にまで前記前桟パッドの回り込み保持部が回り込み、トッププレートの前側部分が挟み込まれることにより、トッププレートが所定の位置に保持されているとともに、
トッププレートの上面側には、トッププレートの上面側を保護する上ケースが配設されていること
を特徴とする加熱調理器の包装構造。
【請求項８】
トッププレートと、上ケースの間に、付属部品が収納された部品収納パッドが配設されていることを特徴とする請求項７記載の加熱調理器の包装構造。
【請求項９】
調理器本体の前側下部に、調理器本体の前面への回り込み部分の高さが、調理器本体の前面の突出部分との緩衝が生じない高さとされた前下パッドが、調理器本体の下面から前面に回り込むように配設されていることを特徴とする請求項７又は８記載の加熱調理器の包装構造。
【請求項１０】
包装材により加熱調理器を包装した包装構造体の主要部がシュリンク包装材により被覆され、包装構造体が一体に保持されていることを特徴とする請求項７〜９のいずれかに記載の加熱調理器の包装構造。
【請求項１１】
前記シュリンク包装材の上からバンド状の締結部材により締結されていることを特徴とする請求項１０記載の加熱調理器の包装構造。
【発明の詳細な説明】
【０００１】
【発明の属する技術分野】
本願発明は、加熱調理器を包装する際に用いられる包装材及び該包装材を用いて加熱調理器を包装する場合の包装構造に関する。
【０００２】
【従来の技術及び発明が解決しようとする課題】
ガスを燃料とする加熱調理器は、通常、調理器本体、調理器本体の上面側に配設されるトッププレート、調理器本体に配設されたグリル、調理器本体の前面側に配設されたグリル扉などを備えている。このような加熱調理器を、搬送や保管のために包装するにあたって、従来は、例えば、図４に示すような包装構造が採用されている。
【０００３】
調理器本体５１の両側部には、調理器本体５１の側面側を保護する一対の側パッド５２が配設されており、前面側には、グリル扉６０を保護するための前面パッド６１が配設されている。さらに、調理器本体５１の上面には、一部が調理器本体５１の前面より突出するように前桟パッド５３が配設されている。トッププレート５４は箱状のプレート用パッド５５に収納されて、前桟パッド５３上に載置されており、その上に調理器本体５１の部品（五徳５６など）を収納することができるように構成された部品収納パッド５７が置かれている。そして、これら全体が段ボール紙製の容器（外箱）５８に収納され、図５に示すように、容器５８の上蓋５８ａを閉じた状態で、ポリプロピレン製のバンド５９により締結されている。
【０００４】
ところで、上記のような包装構造においては、トッププレート５４を箱状のプレート用パッド５５に収納して、前桟パッド５３上に配置するようにしているが、プレート用パッド５５を用いない場合には搬送時などにトッププレート５４の位置ずれが生じやすく、損傷しやすいという問題点がある。
【０００５】
また、調理器本体５１の前面には、グリル扉６０を保護するための前面パッド６１が配設されているが、調理器本体５１の前側下部が十分に保持されておらず、搬送時に位置ずれや損傷を生じやすく、包装信頼性が低いという問題点がある。
さらに、上記従来の包装構造では、箱状のプレート用パッド５５や、グリル扉６０を保護するための前面パッド６１などが必要で、包装材を構成する部品点数が多くなり、包装作業の複雑化や包装コストの増大を招くという問題点がある。
【０００６】
本願発明は、上記背景に鑑みてなされたものであり、少ない包装材で確実な包装を行うことが可能で、信頼性の高い包装材及び包装構造を提供することを目的とする。
【０００７】
【課題を解決するための手段】
上記目的を達成するために、本願発明（請求項１）の包装材は、
調理器本体と、調理器本体の上面側に配設されるトッププレートと、調理器本体に配設されたグリルと、調理器本体の前面側に配設されたグリル扉とを備えた加熱調理器を包装するための包装材であって、
調理器本体の両側部と係合するように、調理器本体の両側部に配設されて、調理器本体の側面側を保持するとともに、包装後において、包装構造体の支柱となる一対の側パッドと、
調理器本体の下面側に位置して調理器本体の下面側を保護する下ケースと、
調理器本体の上面に、調理器本体の前面より突出するような態様で配設されて調理器本体の前面を保護するとともに、その上に載置されるトッププレートの下面側から前側上面にまで回り込み、トッププレートの前側部分を挟み込むことによりトッププレートを所定の位置に保持する回り込み保持部を備えた前桟パッドと、
トッププレートの上面側に位置して、トッププレートの上面側を保護する上ケースと
を具備することを特徴としている。
【０００８】
本願発明（請求項１）の包装材は、調理器本体の両側部に配設されて、調理器本体の側面側を保持するとともに、包装後において、包装構造体の支柱となる一対の側パッドと、調理器本体の下面側を保護する下ケースと、調理器本体の上面に、調理器本体の前面より突出するような態様で配設されて調理器本体の前面を保護するとともに、その上に載置されるトッププレートの下面側から前側上面にまで回り込み、トッププレートの前側部分を挟み込むことによりトッププレートを所定の位置に保持する回り込み保持部を備えた前桟パッドと、トッププレートの上面側に位置して、トッププレートの上面側を保護する上ケースとを備えているので、部品点数の少ない包装材で、トッププレートの位置ずれを生じたりすることのない、信頼性の高い包装を行うことが可能になる。
【０００９】
すなわち、トッププレートの下面側からトッププレートの前側上面にまで回り込み、トッププレートの前側部分を挟み込んで保持する機能を果たす回り込み保持部を備えた前桟パッドを備えているので、従来のように、トッププレートを収納するための箱状のプレート用パッドが不要になるとともに、部品点数を減らすことが可能になり、回り込み保持部によりトッププレートの前側部分を挟み込んで、トッププレートを確実に所定の位置に保持することが可能になる。その結果、部品点数の少ない包装材により、信頼性の高い包装を行うことが可能になる。
なお、本願発明においては、包装材の構成材料として、段ボール紙や古紙成型材料などを好適に用いることができる。
【００１０】
また、請求項２の包装材は、前記前桟パッドが、薄い箱状で、前記回り込み保持部を一体に備えた構造のものであることを特徴としている。
【００１１】
薄い箱状で、回り込み保持部を一体に備えた構造の前桟パッドは、形状安定性（剛性）に優れており、調理器本体の前面を確実に保護することができるとともに、トッププレートを安定して支持することが可能になり、かつ、回り込み保持部をトッププレートの下面側から前側上面に回り込ませることにより、トッププレートを所定の位置に確実に保持することが可能になり、本願発明をより実効あらしめることが可能になる。
【００１２】
また、請求項３の包装材は、付属部品が収納された状態で、トッププレートと上ケースの間に配設される部品収納パッドを備えていることを特徴としている。
【００１３】
トッププレートと上ケースの間に配設される部品収納パッドを備えた構成とすることにより、付属部品を効率よく包装することが可能になるとともに、部品収納パッドがトッププレートや調理器本体などを保護する機能も果たすため、包装信頼性をさらに向上させることが可能になる。
【００１４】
また、請求項４の包装材は、調理器本体の前側下部を保護するための前下パッドであって、調理器本体の下面から前面に回り込むように構成され、かつ、調理器本体の前面への回り込み部分の高さが、調理器本体の前面の突出部分との緩衝が生じない高さとされた前下パッドを備えていることを特徴としている。
【００１５】
調理器本体の前側下部に前下パッドを取り付けることにより、調理器本体の前側下部を確実に保持して位置ずれを防止することが可能になるとともに、調理器本体の前側下部を保護することが可能になる。また、調理器本体の前面への回り込み部分の高さを、調理器本体の前面の突出部分との緩衝が生じない高さとしているので、調理器本体の前面の構造や構成に左右されることなく、調理器本体の前側下部に前下パッドを確実に取り付けることが可能になり、本願発明をより実効あらしめることが可能になる。
【００１６】
また、請求項５の包装材は、主要部が段ボール紙からなるものであることを特徴としている。
【００１７】
側パッド、下ケース、前桟パッド、上ケース、前下パッドなどの主要部を、汎用性が高く、使用後にもリサイクルが可能な段ボール紙から構成することにより、原材料の確保と、環境への負荷の低減を図ることが可能になり有意義である。
【００１８】
また、請求項６の包装材は、包装材により加熱調理器を包装した包装構造体の主要部を被覆するように配設され、包装構造体を一体に保持するシュリンク包装材を備えていることを特徴としている。
【００１９】
シュリンク包装材を用いてシュリンク包装することにより、包装構造体を一体に保持することが可能になり、包装信頼性をさらに向上させることが可能になる。
【００２０】
また、本願発明（請求項７）の包装構造は、
請求項１〜６のいずれかに記載の包装材を用いた加熱調理器の包装構造であって、
調理器本体の両側部に前記一対の側パッドが配設され、
前記側パッドが配設された状態の調理器本体の下面側に前記下ケースが配設され、
調理器本体の上面側に、調理器本体の前面より突出するような態様で前記前桟パッドが配設され、
調理器本体及び前記前桟パッドの上面側に配置された前記トッププレートの、下面側から前側上面にまで前記前桟パッドの回り込み保持部が回り込み、トッププレートの前側部分が挟み込まれることにより、トッププレートが所定の位置に保持されているとともに、
トッププレートの上面側には、トッププレートの上面側を保護する上ケースが配設されていること
を特徴としている。
【００２１】
本願発明（請求項７）の包装構造においては、請求項１〜６のいずれかに記載の包装材が用いられており、一対の側パッドが調理器本体の両側部に配設され、側パッドが配設された状態の調理器本体の下面側に下ケースが配設され、調理器本体の上面には、調理器本体の前面より突出するような態様で前桟パッドが配設され、その回り込み保持部が、トッププレートの下面側から前側上面にまで回り込んでおり、かつ、トッププレートの上面側には上ケースが配設されているので、部品点数の少ない包装材で、トッププレートの位置ずれを防止することが可能な信頼性の高い包装を行うことができる。
【００２２】
また、請求項８の包装構造は、トッププレートと、上ケースの間に、付属部品が収納された部品収納パッドが配設されていることを特徴としている。
【００２３】
トッププレートと、上ケースの間に、付属部品が収納された部品収納パッドが配設された構造とすることにより、付属部品を効率よく包装することが可能になるとともに、部品収納パッドがトッププレートや調理器本体などの保護部材としても機能するため、包装信頼性をさらに向上させることが可能になる。
【００２４】
また、請求項９の包装構造は、調理器本体の前側下部に、調理器本体の前面への回り込み部分の高さが、調理器本体の前面の突出部分との緩衝が生じない高さとされた前下パッドが、調理器本体の下面から前面に回り込むように配設されていることを特徴としている。
【００２５】
調理器本体の前側下部に前下パッドを取り付けることにより、調理器本体の前側下部を確実に保持して位置ずれを防止することが可能になるとともに、調理器本体の前側下部を保護することが可能になり、また、調理器本体の前面への回り込み部分の高さを、調理器本体の前面の突出部分との緩衝が生じない高さとすることにより、調理器本体の前面の構造や構成に左右されることなく、調理器本体の前側下部に前下パッドを確実に取り付けることが可能になり、本願発明をより実効あらしめることができる。
【００２６】
また、請求項１０の包装構造は、包装材により加熱調理器を包装した包装構造体の主要部がシュリンク包装材により被覆され、包装構造体が一体に保持されていることを特徴としている。
【００２７】
シュリンク包装材を用いてシュリンク包装することにより、包装構造体を一体に保持することが可能になり、包装信頼性をさらに向上させることができる。
【００２８】
また、請求項１１の包装構造は、前記シュリンク包装材の上からバンド状の締結部材により締結されていることを特徴としている。
【００２９】
シュリンク包装材の上からバンド状の締結部材を用いて締結することにより、さらに信頼性の高い包装を実現することが可能になる。
【００３０】
【発明の実施の形態】
以下、本願発明の実施の形態を示して、その特徴とするところをさらに詳しく説明する。
【００３１】
図１は本願発明の一実施形態にかかる包装材を用いた加熱調理器（被包装物）の包装構造を示す分解斜視図である。
【００３２】
この実施形態における被包装物は、ガスを燃料として加熱調理を行う加熱調理器であって、この加熱調理器Ａは、調理器本体（実質的な被包装物）１と、トッププレート２と、使用時に調理器本体１やトッププレート２などに取り付けて用いられる付属部品を備えており、この付属部品には、五徳３、汁受け皿４などが含まれている。
また、調理器本体１の前面には、グリル扉５、操作つまみ６などが配設されており、グリル扉５により開閉されるグリル７には、粘着テープ１０により互いに連結された状態で焼網８、水入れ皿９が収納されている。
【００３３】
また、この実施形態において用いられている包装材は、調理器本体１の両側部と係合するように、調理器本体１の両側部に配設されて、調理器本体１の側面側を保持する一対の側パッド１１ａ，１１ｂと、側パッド１１ａ，１１ｂが配設された状態の調理器本体１の下面側に位置して調理器本体１の下面側を保護する下ケース１２と、調理器本体１の前面を保護するとともに、トッププレート２を所定の位置に保持する前桟パッド１４と、トッププレート２上に配設される、五徳３、汁受け皿４などの付属部品を収納するための部品収納パッド１５と、部品収納パッド１５上に配設される上ケース１６と、調理器本体１の前側下部を保護するための前下パッド１７と、各包装材（側パッド１１ａ，１１ｂ、下ケース１２、前桟パッド１４、部品収納パッド１５、上ケース１６、及び前下パッド１７）により加熱調理器Ａを包装した包装構造体１９（図３）の全体を覆い、加熱することにより収縮して、各包装材を、加熱調理器Ａに係合した状態に保持、固定するシュリンク包装材１８とを備えている。
なお、前桟パッド１４は、調理器本体１の上面前側に、前側部分が調理器本体１の前面より突出するような態様で配設されて調理器本体１の前面を保護する機能を果たすように構成されているとともに、その上に載置されるトッププレート２の下面側から前側上面にまで回り込み、トッププレート２の前側部分を挟み込むことによりトッププレート２を所定の位置に保持する回り込み保持部１３を備えた構成とされている。
また、この実施形態においては、トッププレート２は樹脂シート３０により覆われた状態で包装されるように構成されている。
【００３４】
左右の一対の側パッド１１ａ，１１ｂは、段ボール紙を加工することにより形成されており、調理器本体１の左右側部と係合して、両側部を保持する係合部２１ａ，２１ｂと、加熱調理器Ａが各包装材により包装された包装構造体１９において、支柱としての機能を果たす支柱部２２ａ，２２ｂとを備えた構成とされている。
【００３５】
また、前桟パッド１４は薄い箱状で、かつ、回り込み保持部１３を一体に備えた構造を有している。
また、前下パッド１７は、調理器本体１の下面から前面に回り込むように構成されており、調理器本体１の前面への回り込み部分１７ａは、調理器本体１の前面側の下辺全体を受けるような長さを有しているとともに、回り込み部分１７ａの高さは、調理器本体１の前面の突出部分（例えば、操作つまみ６や、その他の特に図示しない温度調整つまみ、タイマー操作つまみなど）との緩衝が生じない高さとされている。
【００３６】
なお、この実施形態においては、上記の側パッド１１ａ，１１ｂ以外の、下ケース１２、前桟パッド１４、部品収納パッド１５、上ケース１６、前下パッド１７も、段ボール紙を加工することにより形成されている。
【００３７】
また、シュリンク包装材１８としては、ポリオレフィン系材料からなる、いわゆる「ポリシュリンクフィルム」として広く知られている樹脂シートが用いられている。ただし、シュリンク包装材１８としては、その他にも、加熱することにより収縮する機能を備えた種々の樹脂シートを用いることが可能である。
【００３８】
この実施形態の包装材を用い、図２に示すように、トッププレート２を樹脂シート３０により被覆した状態で、調理器本体１及び前桟パッド１４の上面に載置するとともに、前桟パッド１４の回り込み保持部１３を、トッププレート２の下面側から前側上面にまで回り込ませてトッププレート２の前側部分を挟み込むことにより、トッププレート２を所定の位置に確実に保持して、搬送中などにおけるトッププレート２の位置ずれの発生を防止することが可能になる。
【００３９】
また、上述の各包装材（側パッド１１ａ，１１ｂ、下ケース１２、前桟パッド１４、部品収納パッド１５、上ケース１６、及び前下パッド１７）を加熱調理器Ａの所定の位置に配設し、シュリンク包装材１８により全体を被覆した後、所定の温度（例えば、２００℃）に加熱し、シュリンク包装材１８を収縮させることにより、側パッド１１ａ，１１ｂ、下ケース１２、前桟パッド１４、部品収納パッド１５、上ケース１６、及び前下パッド１７が、加熱調理器Ａに対して、所定の位置に確実に保持、固定された状態の包装構造体１９（図３）が得られる。なお、図３は、包装構造体１９に、さらにポリプロピレン製のバンド２０を巻き回して締結した状態を示している。
【００４０】
この実施形態の包装構造においては、回り込み保持部１３を備えた前桟パッド１４により、トッププレート２が所定の位置に確実に保持され、かつ、シュリンク包装材１８及びバンド２０により各包装材（側パッド１１ａ，１１ｂ、下ケース１２、前桟パッド１４、部品収納パッド１５、上ケース１６、及び前下パッド１７）が加熱調理器Ａと一体として保持、固定されているので、加熱調理器Ａが全体として確実に包装された、信頼性の高い包装を実現することができる。
また、側パッド１１ａ，１１ｂが、包装構造体１９における支柱としての機能を果たすことになり、積み重ねて保管した場合の荷崩れの発生を抑制、防止することができる。
【００４１】
また、前桟パッド１４により、トッププレート２の前側部分を挟み込むことにより、トッププレート２を所定の位置に保持するようにしているので、従来のように、トッププレート２を収納するための箱状のプレート用パッドが不要になり、部品点数を減らすことが可能になる。
【００４２】
また、前下パッド１７により、調理器本体１の前面側の下辺全体を受けるようにしているので、調理器本体１を衝撃から確実に保護することが可能になるとともに、回り込み部分１７ａが、調理器本体１の下面から前面に回り込んで調理器本体１を保持するため、搬送工程などにおける調理器本体１の位置ずれを防止して、包装信頼性を向上させることが可能になる。
また、調理器本体１の前面への回り込み部分１７ａの高さを、調理器本体１の前面の突出部分（例えば、操作つまみ６や、その他の特に図示しない温度調整つまみ、タイマー操作つまみなど）との緩衝が生じない高さとしているので、取り付けが容易で、包装の作業性を低下させることがない。
【００４３】
また、上記実施形態では、シュリンク包装材１８により包装する場合に、特に包装構造体が密閉されるような構成とはしていないが、シュリンク包装材１８により包装構造体１９の全体を被覆して密閉状態とすることにより、さらに包装信頼性を向上させることができる。
【００４４】
また、本願発明においては、各包装材（側パッド１１ａ，１１ｂ、下ケース１２、前桟パッド１４、部品収納パッド１５、上ケース１６、及び前下パッド１７）の具体的な形状には特別な制約はなく、被包装物である加熱調理器の具体的な形状に応じて、種々の形状とすることが可能である。
【００４５】
本願発明はさらにその他の点においても上記実施形態に限定されるものではなく、発明の範囲内において、種々の応用、変形を加えることが可能である。
【００４６】
【発明の効果】
上述のように本願発明（請求項１）の包装材は、調理器本体の両側部に配設されて、調理器本体の側面側を保持するとともに、包装後において、包装構造体の支柱となる一対の側パッドと、調理器本体の下面側を保護する下ケースと、調理器本体の上面に、調理器本体の前面より突出するような態様で配設されて調理器本体の前面を保護するとともに、その上に載置されるトッププレートの下面側から前側上面にまで回り込み、トッププレートの前側部分を挟み込むことによりトッププレートを所定の位置に保持する回り込み保持部を備えた前桟パッドと、トッププレートの上面側に位置して、トッププレートの上面側を保護する上ケースとを備えているので、部品点数の少ない包装材で、トッププレートの位置ずれを生じたりすることのない、信頼性の高い包装を行うことができる。
すなわち、トッププレートの下面側からトッププレートの前側上面にまで回り込み、トッププレートの前側部分を挟み込んで保持する機能を果たす回り込み保持部を備えた前桟パッドを備えているので、従来のように、トッププレートを収納するための箱状のプレート用パッドが不要になるとともに、部品点数を減らすことが可能になり、回り込み保持部によりトッププレートの前側部分を挟み込んで、トッププレートを確実に所定の位置に保持することが可能になる。その結果、部品点数の少ない包装材により、信頼性の高い包装を行うことができる。
【００４７】
また、請求項２の包装材のように、薄い箱状で、回り込み保持部を一体に備えた構造を有する形状安定性（剛性）の大きい前桟パッドを用いた場合、調理器本体の前面を確実に保護することが可能になるとともに、トッププレートを安定して支持することが可能になり、かつ、回り込み保持部をトッププレートの下面側から前側上面に回り込ませることにより、トッププレートを所定の位置に確実に保持することが可能になり、本願発明をより実効あらしめることができる。
【００４８】
また、請求項３の包装材のように、トッププレートと上ケースの間に配設される部品収納パッドを備えた構成とすることにより、付属部品を効率よく包装することが可能になるとともに、部品収納パッドがトッププレートや調理器本体などを保護する機能も果たすため、包装信頼性をさらに向上させることができる。
【００４９】
また、請求項４の包装材のように、調理器本体の前側下部に前下パッドを取り付けるようにした場合、調理器本体の前側下部を確実に保持して位置ずれを防止することが可能になるとともに、調理器本体の前側下部を保護することが可能になる。また、調理器本体の前面への回り込み部分の高さを、調理器本体の前面の突出部分との緩衝が生じない高さとしているので、調理器本体の前面の構造や構成に左右されることなく、調理器本体の前側下部に前下パッドを確実に取り付けることが可能になり、本願発明をより実効あらしめることができる。
【００５０】
また、請求項５の包装材のように、側パッド、下ケース、前桟パッド、上ケース、前下パッドなどの主要部を、汎用性が高く、使用後にもリサイクルが可能な段ボール紙から構成することにより、原材料の確保と、環境への負荷の低減を図ることが可能になる。
【００５１】
また、請求項６の包装材のように、シュリンク包装材を用いてシュリンク包装することにより、包装構造体を一体に保持することが可能になり、包装信頼性をさらに向上させることができる。
【００５２】
また、本願発明（請求項７）の包装構造においては、請求項１〜６のいずれかに記載の包装材が用いられており、一対の側パッドが調理器本体の両側部に配設され、側パッドが配設された状態の調理器本体の下面側に下ケースが配設され、調理器本体の上面には、調理器本体の前面より突出するような態様で前桟パッドが配設され、その回り込み保持部が、トッププレートの下面側から前側上面にまで回り込んでおり、かつ、トッププレートの上面側には上ケースが配設されているので、部品点数の少ない包装材で、トッププレートの位置ずれを防止することが可能な信頼性の高い包装を行うことができる。
【００５３】
また、請求項８の包装構造のように、トッププレートと、上ケースの間に、付属部品が収納された部品収納パッドが配設された構造とすることにより、付属部品を効率よく包装することが可能になるとともに、部品収納パッドがトッププレートや調理器本体などの保護部材としても機能するため、包装信頼性をさらに向上させることができるようになる。
【００５４】
また、請求項９の包装構造のように、調理器本体の前側下部に前下パッドを取り付けるようにした場合、調理器本体の前側下部を確実に保持して位置ずれを防止することが可能になるとともに、調理器本体の前側下部を保護することが可能になり、また、調理器本体の前面への回り込み部分の高さを、調理器本体の前面の突出部分との緩衝が生じない高さとすることにより、調理器本体の前面の構造や構成に左右されることなく、調理器本体の前側下部に前下パッドを確実に取り付けることが可能になり、本願発明をより実効あらしめることができる。
【００５５】
また、請求項１０の包装構造のように、シュリンク包装材を用いて包装構造体をシュリンク包装することにより、包装構造体を一体に保持することが可能になり、包装信頼性をさらに向上させることができる。
【００５６】
また、請求項１１の包装構造のように、シュリンク包装材の上からバンド状の締結部材を用いて締結することにより、さらに信頼性の高い包装を実現することが可能になる。
【図面の簡単な説明】
【図１】本願発明の一実施形態にかかる包装材の構成を示す分解斜視図である。
【図２】本願発明の一実施形態にかかる包装材を用いた加熱調理器の包装構造の要部を示す図である。
【図３】本願発明の一実施形態にかかる包装材を用いて加熱調理器を包装した状態を示す斜視図である。
【図４】従来の包装材を用いた加熱調理器の包装構造を示す分解斜視図である。
【図５】従来の包装材を用いて加熱調理器を包装した状態を示す斜視図である。
【符号の説明】
１            調理器本体
２            トッププレート
３            五徳
４            汁受け皿
５            グリル扉
６            操作つまみ
７            グリル
８            焼網
９            水入れ皿
１０          粘着テープ
１１ａ，１１ｂ      側パッド
１２          下ケース
１３          回り込み保持部
１４          前桟パッド
１５          部品収納パッド
１６          上ケース
１７          前下パッド
１７ａ        回り込み部分
１８          シュリンク包装材
１９          包装構造体
２０          ポリプロピレン製のバンド
２１ａ，２１ｂ    係合部
２２ａ，２２ｂ    支柱部
３０          樹脂シート
Ａ            加熱調理器
【図１】
2004231232.tif 000003
【図２】
2004231232.tif 000004
【図３】
2004231232.tif 000005
【図４】
2004231232.tif 000006
【図５】
2004231232.tif 000007